(57)【要約】【課題】電気設備等の保守点検作業に際し、養生状態を表示する養生ラベルに関し、着脱が容易であるとともに、ラベル表面にプリンターを使用して表示を印刷することができるようにする。【解決手段】剥離台紙３の上に、裏面に粘着剤を塗布した一枚のシート１を貼着し、シート１に切り込み線４を設けることによって複数のラベル５、５として分離させて使用することができるようにする。そして、切り込み線４によって囲われるラベルの一部に、粘着剤による粘着を阻止する非粘着領域６を形成する。非粘着領域６が四周の１又は２辺の外周に達するようにして非粘着縁７を形成する。そして、シート１に配置される全てのラベルは、非粘着領域６が外周に達しない粘着縁８のみで形成される少なくとも１の辺を同一方向に位置させて配置する。【選択図】  図１
0003130546.tif 000002
【実用新案登録請求の範囲】
【請求項１】
剥離台紙上に裏面に粘着剤を塗布した一枚のシートを貼着するとともに、該シートに切り込み線を設けることによって複数のラベルとして分離させて使用することができるようにし、切り込み線によって囲われるラベルの一部に粘着剤による粘着を阻止する非粘着領域を形成し、該非粘着領域が各ラベルの１又は２辺の外周に達する非粘着縁を形成するとともに、シートに配置される全てのラベルは、非粘着領域が外周に達しない粘着縁のみで形成される少なくとも１の辺を同一方向に位置させて配置したことを特徴とする養生ラベル。
【請求項２】
切り込み線によって囲われたラベルにおいて、非粘着領域が四周のいずれかの辺の周縁に達して非粘着縁を形成するとともに、非粘着縁が存在する辺を含めて、四周の辺のいずれの辺においても粘着剤が外周に達している粘着縁が存在することを特徴とする請求項１記載の養生ラベル。
【考案の詳細な説明】
【技術分野】
【０００１】
この考案は主として、保守点検作業等において、電気設備等の養生状態を表示して注意を喚起するほか、配線の解、結線作業時の目印として使用する養生ラベルに関する考案である。
【背景技術】
【０００２】
従来、電気設備等の保守、点検中であることを表示する手段として、全面に粘着剤を塗布した養生ラベルが使用されている。一般的な表示ラベルにおいて、剥離の容易性その他の要求によって、粘着剤の一部の粘着性を無くする糊殺しを施すことは知られている。特開２００２−９９２１５号公報には、帯状に形成された剥離紙上に糊殺し面を有するラベルが一定ピッチで配置されるものが開示されている。また、特開２００３−４３９２６号公報には、ラベルの接着剤層に部分的に接着を阻止する層を積層し、壜の洗浄等に際して容易に剥離することができる易剥離性ラベルの発明が開示されている。
【考案の開示】
【考案が解決しようとする課題】
【０００３】
従来の養生ラベルやテープは、全面に粘着剤が塗布されたものであるため、例えば撤収時などに、一旦貼り付けたテープを剥がす場合に、容易に剥離させることができず作業性が悪いという欠点があった。また、テープやラベルを剥がし易くするために、貼り付ける際に、片端を折り返す方法もあるが、やはり作業性が悪い欠点がある。
【０００４】
上記、従来技術の欠点に鑑み、本考案は、一旦貼着したラベルを容易に剥がすことができるようにし、作業性に優れた養生ラベルを提供することを目的とするものであるとともに、ラベル表面に表示を施す場合に、プリンターによる印刷を可能とすることである。すなわち、剥離紙に貼着された複数のラベルを一枚の用紙として詰まりを生じさせずに印刷することができる、養生ラベルを提供することを目的とするものである。
【課題を解決するための手段】
【０００５】
上記、目的を達成するために、請求項１に記載の本考案養生ラベルは、剥離台紙３の上に、裏面に粘着剤２を塗布した一枚のシート１を貼着するとともに、シート１に切り込み線４を設けることによって、裏面に粘着剤２が塗布された複数のラベル５、５として分離させて使用することができるようにする。この際、切り込み線４によって囲われるラベルの一部に粘着剤による粘着を阻止する非粘着領域６を形成する。この非粘着領域６は各ラベルの１又は２辺の外周に達する非粘着縁７を形成する。そして、シート１に配置される全てのラベル５、５は、非粘着領域６が外周に達しない粘着縁８のみで形成される少なくとも１の辺を同一方向に位置させて配置する。
【０００６】
請求項２記載の考案は、切り込み線４によって囲われたラベル５のいずれのラベル５においても、非粘着領域６が外周のいずれかの辺に達するようにして、非粘着縁７を形成する。そして、非粘着縁７が存在する辺を含め、いずれの辺においても粘着領域が外周縁に達する粘着縁８が存在するようにする。
【考案の効果】
【０００７】
請求項１記載の本考案養生ラベルによれば、ラベル５の表面に必要な表示を記載して、養生ラベルとして使用すると、ラベル５の裏面に塗布した粘着剤２によってラベル５を必要な所に貼着することができる。このとき、非粘着領域６では、粘着剤によって貼着されていないため、貼着されているラベル５を剥がす場合に、非粘着領域６部分を利用して、容易に引き剥がすことができる。そして、一枚のシート１に多数配置されるラベル５、５には、剥離台紙３に貼着された状態でプリンターを用いて支障なく印刷することが可能となる。すなわち、ラベル５に印刷する場合に、全てのラベル５、５の粘着縁８が先頭となるように剥離台紙３に貼着されたシート１の用紙送りを行えば、シート１に形成されたラベル５が捲くれて紙詰まりを生じるようなことなく上がることなく、プリンターによって安心して表示を印刷することができる。
【０００８】
請求項２記載の考案によれば、シート１に形成された個々のラベルの、剥離台紙３に対する貼着力が大きくなるため、プリンターによる印刷に際して、不用意にラベル５が捲れる可能性がより少なくなるとともに、剥離台紙３に貼着されたシートの取り扱いが容易なものとなる。
【考案を実施するための最良の形態】
【０００９】
以下、本考案に係る養生ラベルの好ましい実施形態を添付の図面に基づいて説明する。
図１は剥離台紙に複数のラベルを含むシートを貼着した状態の平面図、図２は図１に示す実施形態のひとつのラベルの裏面を示す平面図、図３は図２に示すラベルの使用状態を示す斜視図、図４は図２のIV−IV線断面図、図５は図２のV−V線断面図である。
【００１０】
図１に示す実施形態は、一枚のシート１の裏面に粘着剤２を塗布し、剥離台紙３に貼着するとともに、シート１に切り込み線４、４を設けることによって複数のラベル５、５として分離させて使用することができるようにしたものである。切り込み線４によって囲われるラベル５は、図２に示すように裏面に粘着剤２を塗布したものであるが、一部に粘着剤２による粘着を阻止する非粘着領域６を形成してある。
【００１１】
図１、図２に示す実施形態のラベルは、横長方形であって図面上の右半分に非粘着領域６を配置し、図面上の左半分には粘着剤２が露出するように構成している。このラベル５は、一例として図３に示すように表面に必要な表示９を記載し、１ないし複数の配線に粘着剤の露出する部分を利用して巻き付け、養生中の配線10が混同しないように利用することができる。
【００１２】
ラベル５の一部に非粘着領域６を形成するには、薄膜状のシート材を貼着する、あるいは薬品を塗布することによって、図４に示すように糊殺し層11を形成し実現することが可能である。図２に示す実施形態では、ラベルの右半分に非粘着領域６を形成するものではあるが、四辺のうち、非粘着領域６が外周縁にまで達しているのは右辺のみであって、上辺及び下辺には、細幅の粘着剤が塗布された細幅粘着領域12を残している。すなわち、外周縁にまで粘着剤２が達していない非粘着縁７が存在するのは右辺のみであって、右辺以外の三方の外周縁は粘着縁８として構成している。この構成によって、右辺の上下両端には粘着縁８が存在することになる。
【００１３】
図２に示すラベル５が整列状態で複数配置されたものであるシート１は、剥離台紙３に貼着された状態で、個々のラベル５、５は三辺の全部と一辺の一部が貼着されている。そのため、剥離台紙３にシート１が貼着された状態で一枚の用紙として取り扱う場合に、ラベル５が捲れ返ることがなく、例えばプリンターによってラベル５の表面に印刷する場合に紙詰まりを生じにくい。すなわち、図１において白矢印で示す図面上の左方向に紙送りさせて印刷すると、進行方向にラベル５の非粘着縁が存在しないため、一部のラベル５が捲くれて送りローラなどに巻き込まれる虞がない。
【００１４】
図６は、ラベルの形状を変更した別の実施形態を示すものである。この実施形態は、裏面に粘着剤を塗布した一枚のシート１を、剥離紙３に貼着するとともに、シート１に切り込み線４、４を設けることによって図７に示す形状の複数のラベル５、５を形成し、ラベル５、５を分離させて使用することができるようにしたものである。
【００１５】
図７に示す実施形態のラベル５、５は、図２に示す実施形態のラベル５、５と同様に横長方形であって、図７の図面上、右上隅にのみ非粘着領域６を形成するものである。すなわち、非粘着領域６がラベルの外周縁にまで達しているのは一つの隅部分のみであって、図７に示すラベルの右辺と上辺に短い範囲で非粘着縁７が存在し、下辺及び左辺の全長、右上隅を除く上辺及び右辺が粘着縁８となる。
【００１６】
図７に示す実施形態のラベル５は、一例として図８に示すように表面に必要な表示９を記載し、平面的な部分に貼着して使用する。このとき、ラベル５の一隅に非粘着領域６が位置し、非粘着縁７で形成される隅部分から手指でラベル５を剥がすことができる。そのため、保守点検作業が終了したときや、ラベルの張り替えが必要な場合に、貼着してあるラベルを容易に剥がすことができ、作業性を向上させることができる。
【００１７】
図７に示す実施形態では、ラベルの右上隅にのみに非粘着領域６を形成しているため、非粘着領域６が外周縁にまで達しているのは上辺と右辺の一部のみであり、左辺及び下辺は粘着縁８のみで形成され、非粘着縁は存在しない。この実施形態では、図７に示す右隅部において、図９に示すように左半分に糊殺し層11が存在する。したがって、養生のために貼着されているラベルは、糊殺し層11の存在によって形成される非粘着縁７から容易に剥がすことができる。
【００１８】
図７に示す実施形態のラベル５、５が多数配置された図６に示すシート１は、剥離台紙３に貼着された状態で、個々のラベル５、５は非粘着縁のみで構成される辺が存在しないとともに、二辺には非粘着縁が全く存在しない。そのため、図６において白矢印で示す左方向及び上方向に紙送りさせて印刷すると、ラベル５の一部が持ち上げられ、送りローラなどに巻き込まれる虞がなく、プリンターによってラベル５の表面に支障なく印刷することができる。
【図面の簡単な説明】
【００１９】
【図１】図１は複数のラベルを含むシートを剥離台紙に貼着した状態の平面図、
【図２】図２は図１に示す実施形態のひとつのラベルの裏面を示す平面図、
【図３】図３は図２に示すラベルの使用状態を示す斜視図、
【図４】図４は図２のIV−IV線断面図、
【図５】図５は図２のV−V線断面図、
【図６】図６は別の実施形態の、複数のラベルを含むシートを剥離台紙に貼着した状態の平面図、
【図７】図７は図６に示す実施形態のひとつのラベルの裏面を示す平面図、
【図８】図８は図７に示すラベルの使用状態を示す斜視図、
【図９】図９は図７のIX−IX線断面図。
【符号の説明】
【００２０】
１…シート、  ２…粘着剤、  ３…剥離台紙、  ４…切り込み線、  ５…ラベル、  ６…非粘着領域、  ７…非粘着縁、  ８…粘着縁、  ９…表示、  10…配線、  11…糊殺し層、  12…細幅粘着領域。
【図１】
0003130546.tif 000003
【図２】
0003130546.tif 000004
【図３】
0003130546.tif 000005
【図４】
0003130546.tif 000006
【図５】
0003130546.tif 000007
【図６】
0003130546.tif 000008
【図７】
0003130546.tif 000009
【図８】
0003130546.tif 000010
【図９】
0003130546.tif 000011